(57)【要約】      （修正有）【課題】生物学的試料を分析するための分析システム。【解決手段】第１ウィンドウを生成するように適合されてなるデータ管理アプリケーションプログラムと、ホスト画面イメージの複製を含む第２ウィンドウを生成するためのホストアプリケーションプログラムを補間するように適合された、さらに少なくとも１つのリモートアプリケーションプログラム１２４とを含み、少なくとも第１表示ウィンドウ１４２と第２表示ウィンドウ１４４とを表示するためのユーザインタフェースプログラム１３４であって、該第１表示ウィンドウが第１ウィンドウおよび第２ウィンドウのいずれか一方であり、第２表示ウィンドウが第１ウィンドウおよび第２ウィンドウの他方のスクリーンショットを含む、ユーザインタフェースプログラムと、第１表示ウィンドウとして表示するために、ユーザの第１ウィンドウまたは第２ウィンドウの選択を入力する入力手段１４６とを含む分析システム。【選択図】図１
2010261952.tif 000002
【特許請求の範囲】
【請求項１】
生物学的試料を分析するための分析システムであって、
それぞれの分析器制御コンピュータ（１０２）に連結された少なくとも１つの分析器（１００）であって、該分析器制御コンピュータが、制御データを受信し、分析データを送信するための分析器制御アプリケーションプログラム（１０４）であって、ホスト画面イメージ（１１４）を生成するように適合されてなる分析器制御アプリケーションプログラムと、さらにホストアプリケーションプログラム（１２２）とを含み、前記少なくとも１つの分析器が、生物学的試料と試薬との反応を誘起し、該反応に関連した少なくとも１つの測定値を獲得可能である、少なくとも１つの分析器と、
前記少なくとも１つの分析器制御コンピュータに連結されたリモートコンピュータ（１０６）であって、該リモートコンピュータが、制御データを少なくとも１つの分析器制御コンピュータに送信し、分析データを受信するためのデータ管理アプリケーションプログラム（１３０）であって、第１ウィンドウを生成するように適合されてなるデータ管理アプリケーションプログラムと、さらに少なくとも１つのリモートアプリケーションプログラム（１２４）とを含み、該リモートアプリケーションプログラムが、ホスト画面イメージの複製を含む第２ウィンドウを生成するためのホストアプリケーションプログラムを補間するように適合された、リモートコンピュータと、
少なくとも第１表示ウィンドウ（１４２）と第２表示ウィンドウ（１４４）とを表示するためのユーザインタフェースプログラム（１３４）であって、該第１表示ウィンドウが第１ウィンドウおよび第２ウィンドウのいずれか一方であり、第２表示ウィンドウが第１ウィンドウおよび第２ウィンドウの他方のスクリーンショットを含み、第１表示ウィンドウのみがユーザデータの入力に適合されてなる、ユーザインタフェースプログラムと、
第１表示ウィンドウとして表示するために、ユーザの第１ウィンドウまたは第２ウィンドウの選択を入力する入力手段（１４６）とを含む分析システム。
【請求項２】
前記ユーザインタフェースプログラムが、スクリーンショットを繰り返し更新するように適合されてなる請求項１記載の分析システム。
【請求項３】
スクリーンショットの連続する２つの更新作業の間の時間間隔が、５秒以下、好ましくは１秒以下である請求項２記載の分析システム。
【請求項４】
前記ユーザインタフェースプログラムが、第１ウィンドウおよびＮ個の第２ウィンドウを積層するためのウィンドウ位置決め要素（１３６）を有し、これによりユーザの対話が積層の最上のウィンドウのみにおいて可能となる請求項１〜３のいずれか１項に記載の分析システム。
【請求項５】
前記積層のウィンドウが、同一の寸法および形式を有する請求項４記載の分析システム。
【請求項６】
前記ウィンドウ位置決め要素が、選択されたウィンドウが積層の最上のウィンドウとなるように、ユーザの選択の入力に応じて積層の順序を変更するように適合されてなる請求項４または５記載の分析システム。
【請求項７】
前記積層のウィンドウが、最上のウィンドウのみが可視となるように垂直方向に整列されてなる請求項４〜６のいずれか１項に記載の分析システム。
【請求項８】
第２表示ウィンドウが、各々のＮ個のウィンドウに対して表示される請求項４〜７のいずれか１項に記載の分析システム。
【請求項９】
前記Ｎ個の第２ウィンドウが、第１表示ウィンドウに隣接したサイドバー（１５２）に配列された請求項８記載の分析システム。
【請求項１０】
試料識別子と試料の分析を実行するための要求とをリモートコンピュータから１つの分析器制御コンピュータへ送信し、試料識別子と分析結果とを要求に応じて１つの分析器制御コンピュータからリモートコンピュータへ送信するための第１インタフェースをさらに含む請求項１〜９のいずれか１項に記載の分析システム。
【請求項１１】
前記制御データの少なくとも一部をリモートコンピュータから１つの分析器制御コンピュータに送信し、要求された分析に関連した結果コンテキストデータの少なくとも一部を１つの分析器制御コンピュータからリモートコンピュータに送信するための第２インタフェースをさらに含む請求項１〜１０のいずれか１項に記載の分析システム。
【請求項１２】
前記第１インタフェースがＨＬ７インタフェースでありおよび／または第２インタフェースがＸＭＬインタフェースである請求項１０または１１記載の分析システム。
【請求項１３】
リモートコンピュータ（１０６）およびＮ個の第ｎの分析器制御コンピュータ（１０２）により実行されるデータ処理方法であって、
各々の分析器制御コンピュータによりホスト画面イメージ（１１４）を生成する工程と、
リモートコンピュータによりＮ個のウィンドウを生成する工程であって、第ｎのウィンドウが第ｎのホスト画面イメージの複製である、工程と、
第１表示ウィンドウ（１４２）とＮ個の第２表示ウィンドウ（１４４）とを表示する工程であって、該第１表示ウィンドウが１つのウィンドウであって、各々のＮ個の第２表示ウィンドウが該１つのウィンドウのスクリーンショットを含む、工程とを含み、
各々の分析器制御コンピュータが分析器に連結され、１つの該分析器制御コンピュータとのユーザの対話が第１表示ウィンドウを通じて可能であるデータ処理方法。
【請求項１４】
ユーザの１つのウィンドウの選択を受信し、該ユーザの選択した１つのウィンドウを第１表示ウィンドウとして表示する工程と、ユーザの対話が積層（１５４）の最上のウィンドウのみにおいて可能になるようにＮ個の第２ウィンドウを積層する工程とをさらに含む請求項１３記載のデータ処理方法。
【請求項１５】
請求項１１〜１４のいずれか１項に記載の方法を実施するための実行可能なプログラムコードを含むコンピュータプログラム製品。
【発明の詳細な説明】
【技術分野】
【０００１】
本発明は、体液などの生物学的試料を分析するための分析システム、データ処理方法およびコンピュータプログラム製品に関する。
【背景技術】
【０００２】
生物学的試料の体外分析のための分析器などの生物学的試料を分析するための種々の自動分析器が知られている。特許文献１は、このような自動分析器の例を示す。
【０００３】
特許文献２は、分析装置を同時に監視するための表示部を示す。該表示部は、装置グループ内の各々の分析器についての装置情報を示す主要部分を有する。装置情報は複数の情報フィールドを有する。
【０００４】
本発明の目的は、改善された分析システムと改善されたデータ処理システムおよびコンピュータプログラムとを提供することである。
【先行技術文献】
【特許文献】
【０００５】
【特許文献１】欧州出願公開第１９５９２５７号明細書
【特許文献２】米国出願公開第２００８／０１６８８５０号明細書
【発明の概要】
【０００６】
本発明は、それぞれの独立請求項に請求されたとおりの生物学的試料を分析するための分析システム、データ処理方法およびコンピュータプログラム製品を提供する。本発明の実施の形態は従属請求項に与えられる。
【０００７】
本発明の実施の形態によると、生物学的試料を分析するための分析システムは、少なくとも１つの自動分析器を備えて提供される。該自動分析器は、体液などの生物学的試料を分析するように適合される。自動分析器は、自動分析器のための制御ユニットとして機能する分析器制御コンピュータに連結される。該分析器制御コンピュータは、リモートコンピュータから制御データを受信し、リモートコンピュータに分析データを送信するための分析器制御アプリケーションプログラムを実行する。
【０００８】
ここで使用する「制御データ」という用語は、自動分析器の要求されたアクションを特定または有効にするためのあらゆる種類のデータを含み、たとえばオーダ番号などの識別子によって、分析する生物学的試料を特定するデータと、任意的に生物学的試料について実施される分析の種類とを含む。
【０００９】
ここで使用する「分析データ」という用語は、自動分析器によって実施された分析結果を説明するあらゆるデータと、特にいわゆるオーダ番号である、分析された生物学的試料の識別子とを含む。較正の場合には、分析データは較正結果、すなわち較正データを含む。特に分析データは、分析が実施された試料の識別子と、測定データなどの分析結果の説明であるデータとを含む。
【００１０】
本発明の実施の形態によると、分析データは結果コンテキストデータを含む。「結果コンテキストデータ」という用語は、たとえば、分析を実施するために使用された試薬、分析実施中に生じたあらゆる問題、分析実施時の分析器の較正設定、試料が分析された患者の人口統計データおよび／または分析の状況に関するその他のデータなど、測定データを得た条件を説明するあらゆるデータを含む。コンテキストデータの使用法については、国際公開公報第２００７／１３７７５１号パンフレットにさらに記載されている。
【００１１】
ここで使用する「分析器」という用語は、測定値を得るための試料と試薬との反応を誘起可能なあらゆる装置を含む。反応は、該反応に関連する１以上のパラメータを特定する制御データにしたがって分析器により誘起される。測定値は、分析データの一部として提供可能である。分析器によって得る測定値の種類は、特定の反応によって決まる。たとえば、分析器は、光吸収、蛍光性、電位または反応の他の物理的または化学的特徴を測定して、測定結果を提供する。
【００１２】
分析器制御アプリケーションは、ホスト画面イメージを生成するように適合される。実施に応じて、ホスト画面イメージは、オペレータが分析器制御コンピュータの入力装置を通じて分析制御アプリケーションプログラムと直接的に対話できるようにしてもよい。代替的に、ホスト画面イメージが分析器制御コンピュータの場所において表示されないように、モニタは分析制御コンピュータに連結されない。モニタが分析器制御コンピュータに連結されない場合であっても、ホスト画面イメージは分析器制御アプリケーションによって生成されることに留意することが重要である。さらに、分析器制御コンピュータは、ホストアプリケーションプログラムを含む。
【００１３】
本発明のいくつかの実施の形態によると、分析器制御コンピュータはこれに連結されたモニタを有していない、および／または分析器制御コンピュータはこれに接続された入力装置を有しておらず、分析器制御コンピュータとのユーザの対話は、リモートコンピュータからのみ可能である。
【００１４】
分析器制御コンピュータはリモートコンピュータに接続されている。該リモートコンピュータは、制御データを分析器制御コンピュータに送信し、分析データを分析器制御コンピュータから受信するためのデータ管理アプリケーションプログラムを含む。該データ管理アプリケーションプログラムは、リモートコンピュータを使用して、データ管理アプリケーションプログラムとのユーザの対話のための第１ウィンドウを生成することができる。さらに、リモートコンピュータは、ホスト画面イメージの複製を含む第２ウィンドウを生成するために、分析器制御コンピュータのホストアプリケーションプログラムを補間するように適合された少なくとも１つのリモートアプリケーションプログラムを含む。
【００１５】
したがって、リモートアプリケーションプログラムとそれぞれのホストアプリケーションプログラムとの補間は、第２ウィンドウがリモートコンピュータに表示された場合に第２ウィンドウを使用して分析器制御コンピュータを遠隔制御可能にする。このようなリモートアプリケーションプログラムおよびホストアプリケーションプログラム自体は、たとえば米国特許第６７１０７９０号明細書などの先行技術から既知である。ホストアプリケーションプログラムおよびリモートアプリケーションプログラムを実行するために、特に、ＰＣＡｎｙｗａｒｅソフトウェアを使用することができる。リモートコンピュータでのホスト画面イメージのスクリーン複製のために、各々の分析器制御コンピュータは、ホストアプリケーションプログラムのコピーを実行するホストコンピュータを構成する。
【００１６】
さらに、リモートコンピュータは、少なくとも第１表示ウィンドウと第２表示ウィンドウとを表示するためのユーザインタフェースプログラムを含む。第１表示ウィンドウは、ユーザがデータ入力可能なアクティブウィンドウを構成する。第１表示ウィンドウは、第１と第２表示ウィンドウの一方である。換言すれば、第１表示ウィンドウは、データ管理アプリケーションプログラムの第１ウィンドウまたはホスト画面イメージの複製を含む第２ウィンドウのいずれかである。
【００１７】
ユーザインタフェースプログラムによって表示された第２表示ウィンドウは、第１表示ウィンドウに表示されない、少なくとも別のウィンドウのスクリーンショットである。たとえば、データ管理アプリケーションプログラムの第１ウィンドウが第１表示ウィンドウとして表示されると、第２表示ウィンドウは、ホスト画面イメージの複製を含む第２ウィンドウのスクリーンショットを表示する。さらに、第１表示ウィンドウとして表示されたウィンドウのスクリーンショットを含む、さらなる第２表示ウィンドウが表示可能である。さらに、さらなる第２表示ウィンドウが、さらなる分析器制御コンピュータのために表示可能である。
【００１８】
ここで理解される「スクリーンショット」は、第１ウィンドウおよび第２ウィンドウの一方のリモートコンピュータにより取得された画像を含む。たとえば、スクリーンショットは、ＢＭＰ，ＰＮＧまたはＪＰＥＧなどのビットマップの画像フォーマットを有する。ここで使用される「スクリーンショット」という用語は、必ずしも全画面の画像が取得されることを意味するのではなく、個々のウィンドウなど画面の一部の画像を意味する。
【００１９】
本発明の実施の形態によると、データ管理アプリケーションプログラムによって生成された第１ウィンドウおよび／またはリモートコンピュータのリモートアプリケーションプログラムによって生成された第２ウィンドウは、必ずしもリモートコンピュータに連結されたモニタにおいて可視でない。リモートコンピュータのモニタに表示されるものは、少なくとも第１表示ウィンドウおよび第２表示ウィンドウである。
【００２０】
データ管理アプリケーションプログラムによって生成された第１ウィンドウは、ユーザがデータ入力可能なアクティブウィンドウにするためのユーザによる第１ウィンドウの選択により、第１表示ウィンドウとして表示するようにユーザインタフェースプログラムによって選択される。同様に、リモートアプリケーションプログラムにより生成された第２ウィンドウは、ユーザがデータ入力可能なアクティブウィンドウにするためのユーザによる第２ウィンドウの選択により、第１表示ウィンドウとして表示するようにユーザインタフェースプログラムによって選択される。
【００２１】
本発明の実施の形態によると、第２表示ウィンドウは第２ウィンドウのスクリーンショットを含み、これは、ユーザがデータ管理アプリケーションプログラムにより生成された第１ウィンドウを第１表示ウィンドウとして表示するアクティブウィンドウとするように選択した場合に、リモートアプリケーションプログラムによって生成される。この場合、第２ウィンドウはモニタに表示されず、第２の画像のスクリーンショットのみが第２表示ウィンドウにより表示される。この場合において、第２ウィンドウ自体ではなく第２ウィンドウのスクリーンショットのみがモニタ上の第２表示ウィンドウによって表示されているため、ユーザは第２ウィンドウにデータを入力できない。ユーザが第２ウィンドウにデータを入力したい場合、第２ウィンドウをアクティブウィンドウ、すなわち第１表示ウィンドウにする選択のために、ユーザは、スクリーンショットのクリックなどにより、第２ウィンドウの選択を入力しなければならない。
【００２２】
さらに、リモートコンピュータは、ユーザが第１表示ウィンドウとして表示するためのウィンドウの選択を入力可能な入力手段を含む。入力手段は、キーボード、コンピュータマウス、トラックボール、ペン入力装置、音声制御など、あらゆる種類のコンピュータ周辺入力装置により実現可能である。
【００２３】
たとえば、ユーザは、スクリーンショットが第２表示ウィンドウに示されたスクリーンを第１表示ウィンドウとして表示するよう選択するために、第２表示ウィンドウをクリックすることができる。このことは、現在第１表示ウィンドウとして表示されているウィンドウを非選択とすることを意味する。ウィンドウの選択は、マウスカーソルなどのポインタを第２表示ウィンドウ上に移動し、マウスボタンをクリックするなど選択コマンドを入力することにより実行可能である。
【００２４】
本発明の実施の形態は、少なくとも１つの自動分析器とのユーザの対話がきわめて容易になるため、特に有利である。特に、ユーザは、分析器制御コンピュータの場所に実際にいなくても、リモートコンピュータを使用して自動分析器を遠隔監視および制御可能である。
【００２５】
さらに、本発明の実施の形態は、第２表示ウィンドウがスクリーンショットのみを含むため、ユーザが第１表示ウィンドウのみにデータ入力可能であり、第２表示ウィンドウにはデータ入力できないため、特に有利である。このことは、ユーザが、自動分析器の故障または重要な生物学的試料の損失をもたらし得る第２ウィンドウへの不注意または誤ったデータ入力ができないことを保証する。特に、ユーザは、第２表示ウィンドウのマウスクリックなどによって第２表示ウィンドウを選択した場合に、スクリーンショットが第２表示ウィンドウに示されたウィンドウへの不注意のデータ入力ができない。
【００２６】
本発明の実施の形態によると、リモートコンピュータのユーザインタフェースプログラムは、スクリーンショットを繰り返し更新するように適合される。このことは、ホスト画面イメージ、および自動分析器の状態の監視を可能にする利点を有する。
【００２７】
本発明の実施の形態によると、スクリーンショットの連続する２つの更新作業の間の時間間隔は５秒以下、好ましくは１秒以下である。
【００２８】
本発明の実施の形態によると、データ管理アプリケーションプログラムは、分析データおよび結果コンテキストデータを人間が読解可能な分析結果に変換する。特に、このことは、分析器制御コンピュータからデータ管理アプリケーションプログラムが受信したデータの集約および／または妥当性検証を含む。
【００２９】
本発明の実施の形態によると、イーサネットなどの同一の物理的ネットワークが、分析データ、制御データの送信、および／またはリモートアプリケーションプログラムとホストアプリケーションプログラムとの間のデータ送信のために利用可能である。別個のインタフェースは、種々のデータ送信のためのネットワーク送信プロトコルの論理層において実施可能である。たとえば、ＨＬ７インタフェースは、試料識別子によって特定された試料について特定の分析を実施するために、データ管理アプリケーションプログラムから要求された分析を実施する分析器の分析制御コンピュータへの試料識別子および要求を送信するために使用される。また、ＨＬ７インタフェースは、試料識別子と共に分析結果の説明を含む分析データの少なくとも一部を、要求に応じて分析器制御コンピュータからデータ管理アプリケーションプログラムに送信するために使用される。
【００３０】
さらに、ＸＭＬインタフェースは、ネットワークを経由してデータ管理アプリーションプログラムと分析器制御コンピュータとの間のデータを交換するために使用され得る。たとえば、実施される分析を特定する制御データの少なくとも一部は、制御データを含むＸＭＬ文書によって、データ管理アプリケーションプログラムから分析器制御コンピュータへ送信可能である。同様に、結果コンテキストデータなどの分析データの少なくとも一部は、結果コンテキストデータを含むＸＭＬ文書として、分析器制御コンピュータからデータ管理アプリケーションプログラムへ通信する。
【００３１】
また、リモートアプリケーションプログラムとホストアプリケーションプログラムとの間の通信は、独自のＰＣＡｎｙｗａｒｅプロトコルなど、さらに別の論理インタフェースを使用することにより、同一の物理ネットワークを経由して実施することもできる。
【００３２】
本発明の実施の形態によると、第２ウィンドウの１つをアクティブウィンドウにするユーザの選択は、それぞれの分析器制御コンピュータへのデータ入力がリモートコンピュータのモニタに示されたアクティブウィンドウを通じてのみ有効になることを意味する。選択された第２ウィンドウの１つがアクティブウィンドウとなる場合、選択された第２ウィンドウが複製を含む、分析器制御コンピュータに連結されたモニタに表示された元のウィンドウにはデータ入力することができない。
【００３３】
本発明の実施の形態によると、複数の自動分析器は、そのそれぞれの分析器制御コンピュータを通じて単一のリモートコンピュータに連結される。各々の分析器制御コンピュータは、ホストアプリケーションプログラムのインスタンスを実行し、リモートコンピュータは各々の分析器制御コンピュータのためのリモートアプリケーションプログラムのインスタンスを実行して、各々の分析器制御コンピュータのための第２ウィンドウを供する。
【００３４】
以下において、分析器制御コンピュータの数はＮと指定され、Ｎは１以上のあらゆる整数であり得る。複数の分析器制御コンピュータの第ｎの分析器制御コンピュータは第ｎの自動分析器に連結され、第ｎの分析器制御コンピュータの分析器制御アプリケーションプログラムは第ｎのホスト画面イメージを生成し、ここでは０＜ｎ＜Ｎ＋１であり、ｎは整数である。第ｎのホストアプリケーションプログラムとリモートコンピュータの第ｎのリモートアプリケーションプログラムとの補間により、第ｎのホスト画面イメージの複製を含む第ｎの第２ウィンドウはリモートコンピュータにより生成される。
【００３５】
本発明の実施の形態によると、分析システムはＮ個の自動分析器からなり、第ｎの自動分析器は第ｎの分析器制御コンピュータに連結され、第ｎの分析器制御コンピュータの分析器制御アプリケーションプログラムは第ｎのホスト画面イメージを生成するように適合され、第ｎの分析器制御コンピュータは第ｎのホストアプリケーションプログラムを含み、リモートコンピュータは第ｎの分析器制御コンピュータのための第ｎの第２ウィンドウを生成するためのＮ個のリモートアプリケーションプログラムを含み、第ｎの第２ウィンドウは第ｎのホスト画面イメージの複製を含み、第１表示ウィンドウは第１ウィンドウおよびＮ個の第２ウィンドウの１つであり、第２表示ウィンドウは第１ウィンドウおよびＮ個の第２ウィンドウの他のものである。
【００３６】
本発明の実施の形態によると、ユーザは、入力手段により、第１ウィンドウまたはＮ個の第２ウィンドウのうちの１つを第１表示ウィンドウとして表示部を選択可能である。各々の第２ウィンドウおよび第１ウィンドウに対して、それぞれのウィンドウのスクリーンショットを含む第２表示ウィンドウがある。このことは、ユーザが、ウィンドウへデータ入力などを行うための第１表示ウィンドウに表示されるウィンドウにするために、第２ウィンドウまたは第１ウィンドウの１つを都合よく瞬時に選択することを可能にする。したがって、ここで検討する実施の形態において第２表示ウィンドウの合計数はＮ＋１である。
【００３７】
本発明の実施の形態によると、ユーザインタフェースプログラムは、第１ウィンドウとＮ個の第２ウィンドウを互いの上に積層するためのウィンドウ位置決め要素を有し、ユーザの対話は積層の最上のウィンドウのみにおいて可能となる。換言すれば、積層の最上のウィンドウは積層の他のすべてのウィンドウを覆うオーバレイであって最上のウィンドウのみが可視であるため、ユーザは、積層の最上のウィンドウのみにデータ入力可能である。たとえば、第１ウィンドウおよび第２ウィンドウは同一の寸法および形式を有する。
【００３８】
これらのウィンドウのすべては互いの上に積層され、垂直に整列される。その結果、最上のウィンドウは積層の他のすべてのウィンドウを完全に覆うため、データ入力の実施のために、最上のウィンドウのみにアクセス可能である。したがって、積層の最上のウィンドウは第１表示ウィンドウを構成する。
【００３９】
本発明の実施の形態によると、積層順序は、ユーザが別のウィンドウを第１表示ウィンドウにする選択に応じて変更される。このことは、ユーザにとって可視となり、最短の待ち時間でユーザがウィンドウにデータ入力ができるように、選択されたウィンドウが積層の最上に即座に移動されるため、特に有利である。これは、ユーザが選択した最新のウィンドウがすでに積層中に存在し、ユーザが自身の選択を入力する際に生成または更新される必要がないためである。これは、自動分析器の故障または他の危機的な状況の場合など、ユーザと１つの自動分析器との迅速な対話が必要な場合に必要不可欠となり得る、限られた待機時間で実時間性能を提供するために特に有利である。
【００４０】
本発明の実施の形態によると、リモートコンピュータおよび分析器制御コンピュータは、音声通信チャネルを確立するための手段を有する。これは、リモートコンピュータと任意の１つの分析器制御コンピュータのとの間での音声通信チャネルの確立を可能にする。このことは、リモートコンピュータのユーザが、一定の保守作業などを手動で実施するように自動分析器のユーザに指示するなど、ある自動分析器の別のユーザと通信することを可能にするため、特に有利である。
【００４１】
本発明の実施の形態によると、リモートコンピュータと少なくとも１つの分析器制御コンピュータとは、リモートコンピュータのユーザと少なくとも１つの分析器制御コンピュータのユーザとのあいだの音声通信のために、リモートコンピュータと少なくとも１つの分析器制御コンピュータとの間の音声通信チャネルを確立する音声通信手段を含む。
【００４２】
本発明の実施の形態によると、リモートコンピュータは、単一のユーザ入力作用を受領するための手段をさらに含み、音声通信チャネルを確立するための手段は、リモートコンピュータと１つの分析器制御コンピュータとの間の音声通信チャネルを確立するように適合され、分析器制御コンピュータの第２ウィンドウは単一のユーザ入力作用に応じて第１表示ウィンドウとして表示される。
【００４３】
本発明の実施の形態によると、リモートコンピュータは、ユーザ入力作用を受領するための手段を有する。ユーザ入力作用を受領する手段がユーザにより操作されると、音声通信チャネルが、リモートコンピュータと、ホスト画面イメージが第１表示ウィンドウに現在示されている分析器制御コンピュータとの間に確立される。このことは、リモートコンピュータのユーザが、通話ボタンを押すことまたはユーザインタフェースに表示された仮想ボタンをクリックすることなど単一の入力作用を実施することにより、自動分析器の関連するユーザと音声通信を開始可能であるため、特に有利である。
【００４４】
本発明の別の特徴は、リモートコンピュータとＮ個の分析器制御コンピュータとによって実施されるデータ処理方法に関する。
【００４５】
本発明のさらに別の特徴は、本発明のデータ処理方法の実施の形態を実施可能なコンピュータ実行可能な命令を含む、デジタル記憶媒体などのコンピュータプログラム製品に関する。
【００４６】
以下に、図面を参照して例示目的のために本発明の実施の形態をより詳細に説明する。
【図面の簡単な説明】
【００４７】
【図１】本発明の分析システムの実施の形態のブロック図である。
【図２】本発明の分析システムのさらなる実施の形態のブロック図である。
【図３】本発明の方法の実施の形態を示すフローチャートである。
【図４】本発明の方法のさらなる実施の形態を示すフローチャートである。
【図５】本発明の実施の形態によるリモートコンピュータに表示された画面イメージの実施の形態である。
【図６】ユーザが別のウィンドウを選択した場合の図５の画面イメージである。
【図７】本発明の実施の形態による、リモートコンピュータのスクリーンでのウィンドウの位置決めを示す概略図である。
【図８】リモートコンピュータに示された画面イメージの実施の形態である。
【図９】本発明の分析システムのさらなる実施の形態を示す図である。
【図１０】リモートコンピュータに示された画面イメージのさらなる実施の形態である。
【図１１】本発明の分析システムのさらなる実施の形態の図である。
【図１２】本発明の分析システムのさらなる実施の形態を示すブロック図である。
【図１３】本発明の分析システムのさらなる実施の形態を示すブロック図である。
【発明を実施するための形態】
【００４８】
図中の同等の番号を付された要素は、同一の要素であるか、または同一の機能を実施する。前に説明した要素については、機能が同一である場合、必ずしも後の図において説明しない。
【００４９】
図１は、生物学的試料を分析するための少なくとも１つの自動分析器１００を含む生物学的試料を分析するための分析システムを示す。たとえば、自動分析器１００は、血液または尿検査など、患者の体液の体外検査を実施可能である。
【００５０】
自動分析器１００は、分析器制御コンピュータ１０２に連結されている。分析器制御コンピュータ１０２は、分析器制御アプリケーションプログラム１０４を実行する。分析器制御アプリケーションプログラム１０４は、リモートコンピュータ１０６からネットワーク１０８を経由して制御データを受信する。ネットワーク１０８は、インターネットプロトコル（ＩＰ）にしたがって動作可能である。たとえば、ネットワーク１０８は、イーサネットとして実施可能である。
【００５１】
分析器制御アプリケーションプログラム１０４が制御データを含む要求をリモートコンピュータ１０６から受信すると、該プログラムは、要求を実行するために自動分析器１００に対して１以上の命令を生成する。分析器１００は、分析データを分析器制御アプリケーションプログラム１０４に送り返すことによって命令に応答し、分析データは、生物学的試料の１つに対して実施された分析結果の説明であり得る。分析器制御アプリケーションプログラム１０４は、ネットワーク１０８を経由して応答をリモートコンピュータ１０６に送り返し、該応答は分析器１００から受信した分析データを含む。
【００５２】
分析器制御アプリケーション１０４は、分析器制御コンピュータ１０２のオペレーティングシステム１１０の制御下にあるホスト画面イメージをモニタ１１２上に生成し、該モニタは分析器制御コンピュータ１０２に連結され得る。
【００５３】
オペレーティングシステム１１０は、ウィンドウを含むグラフィカルユーザインタフェースを提供する。たとえば、オペレーティングシステム１１０は、マイクロソフトウィンドウズなどのマイクロソフトオペレーティングシステム、またはアップルマッキントッシュオペレーティングシステムである。
【００５４】
モニタ１１２に表示されたホスト画面イメージ１１４は、分析器制御アプリケーションプログラム１０４によって生成されたウィンドウ１１６を含む。ウィンドウ１１６は、自動分析器の最新状態情報と、ユーザ、すなわち人間のオペレータにより制御データを入力するための１以上のデータ入力フィールドを含み得る。データ入力は、キーボードおよび／またはコンピュータマウスなど、分析器制御コンピュータ１０２に連結可能な入力装置１１８によって実施可能である。
【００５５】
分析器制御コンピュータ１０２は、分析器制御コンピュータ１０２をネットワーク１０８に連結するためのネットワークインタフェース１２０を有する。さらに、分析器制御コンピュータ１０２は、リモートコンピュータ１０６により実行されるそれぞれのリモートアプリケーションプログラム１２４を補間するホストアプリケーションプログラム１２２を実行する。
【００５６】
分析器制御コンピュータ１０２は、ボイスオーバＩＰ（ＶｏＩＰ）プログラム１２６を搭載しており、該プログラムは、リモートコンピュータ１０６により実行されるそれぞれのＶｏＩＰプログラム１２８を補間する。
【００５７】
リモートコンピュータ１０６は、分析器制御コンピュータ１０２と同一または異なるオペレーティングシステム１１０を有することができ、該オペレーティングシステムもまた、ウィンドウを供するグラフィカルユーザインタフェースを含む。リモートコンピュータ１０６は、ネットワーク１０８上でネットワークインタフェース１３２を経由して制御データをホストコンピュータ１０２の分析器制御アプリケーションプログラム１０４に送信し、制御データを含む要求に応えて分析データを分析器制御アプリケーションプログラム１０４から受信するためのデータ管理アプリケーションプログラム１３０を実行する。
【００５８】
さらに、リモートコンピュータ１０６は、該リモートコンピュータ１０６に連結されているモニタ１３８にウィンドウを位置決めするためのウィンドウ位置決め要素１３６を含むユーザインタフェースプログラム１３４を実行する。ユーザインタフェースプログラム１３４は、さらに、スクリーンショットを取得するためのスクリーンショット要素１４０を含む。ユーザインタフェースプログラム１３４は、アクティブウィンドウ１４２とスクリーンショット（ＳＳ）を含む少なくとも１つのさらなるウィンドウ１４４とがモニタ１３８に表示されるようにオペレーティングシステム１１０を制御する。
【００５９】
アクティブウィンドウ１４２は、ユーザがリモートコンピュータ１０６に連結された入力装置１４６などによりデータを入力できる１以上のデータ入力フィールドを有し得る。入力装置１４６は、キーボードおよび／またはコンピュータマウスあるいは他のコンピュータ周辺機器でよい。
【００６０】
ウィンドウ１４４はスクリーンショットを表示する目的を有し、ユーザによるいかなるデータの入力も不可能である。
【００６１】
データ管理アプリケーションプログラム１３０は第１ウィンドウを生成し、リモートアプリケーションプログラム１２４は、ホストアプリケーションプログラム１２２との対話の間にホスト画面イメージ１１４の複製を含む第２ウィンドウを生成する。
【００６２】
アクティブウィンドウ１４２は第１ウィンドウまたは第２ウィンドウのいずれかであり、ウィンドウ１４４は、入力装置１４６を通じて受信したユーザの選択に応じて、第１ウィンドウまたは第２ウィンドウのスクリーンショットを含む。
【００６３】
リモートコンピュータ１０６は、リモートコンピュータ１０６に連結された１以上の分析器制御コンピュータのＩＰアドレスを特定する構成ファイル１４８を格納する。ここで検討する実施の形態において、分析器制御コンピュータ１０２のＩＰアドレスは、ネットワーク１０８を経由してリモートコンピュータ１０６と分析器制御コンピュータ１０２との間のＩＰ通信を可能にするために構成ファイル１４８に入力される。
【００６４】
ボタン１５０はリモートコンピュータ１０６に連結される。リモートコンピュータ１０６のユーザがボタン１５０を押圧すると、ＶｏＩＰアプリケーションプログラム１２８が起動されてネットワーク１０８を通じて音声通信チャネルが確立され、これによってＶＯＩＰアプリケーションプログラム１２８はＶＯＩＰアプリケーションプログラム１２６と相互運用する。
【００６５】
以下において、一般性を制限することなく、データ管理アプリケーションプログラム１３０により生成された第１ウィンドウはアクティブウィンドウ１４２としてウィンドウ位置決め要素１３６により位置決めされ、一方でリモートアプリケーションプログラム１２４により生成された第２ウィンドウは、スクリーンショット要素１４０により供されたスクリーンショットとしてウィンドウ１４４に示される。好ましくは、アクティブウィンドウ１４２は、ウィンドウ１４４よりもさらに大きく、モニタ１３８の表示領域の少なくとも５０％に及ぶ。
【００６６】
入力装置１４６を通じて、ユーザは、ウィンドウ１４４でマウスクリックなどを行うことによって、第２ウィンドウをアクティブウィンドウとして表示するように選択可能である。これに応じて、ウィンドウ位置決め要素１３６は、モニタ１３８上の第２ウィンドウがアクティブウィンドウ１４２となるように位置決めし、スクリーンショット要素１４０は第１ウィンドウのスクリーンショットを供し、これは、その後ウィンドウ１４４として示される。
【００６７】
したがって、第２ウィンドウがアクティブウィンドウ１４２になると、第１ウィンドウはウィンドウ１４４でスクリーンショットとして示される。代替的に、各々の第１ウィンドウおよび第２ウィンドウに対する別個のスクリーンショットをモニタ１３８上に永久的に示すこともできる。
【００６８】
たとえば、ユーザは、データ管理アプリケーションプログラム１３０により生成された第１ウィンドウが第１表示ウィンドウ、すなわちアクティブウィンドウ１４２になるように選択する。リモートアプリケーションプログラム１２４により生成された第２ウィンドウは、第２表示ウィンドウ、すなわちウィンドウ１４４にスクリーンショットとして示される。しかしながら、リモートアプリケーションプログラム１２４により生成された第２ウィンドウ自体は、モニタ１３８に示されない。
【００６９】
ユーザは、分析器１００による試料分析の性能に対する要求を特定するために、アクティブウィンドウ１４２、すなわちデータ管理アプリケーションプログラム１３０により生成された第１ウィンドウにデータを入力し得る。データ管理アプリケーションプログラム１３０は、ネットワーク１０８を経由して、試料識別子を含む各要求をユーザのアクティブウィンドウへのデータ入力により分析器制御アプリケーションプログラム１０４によって処理するための分析器制御コンピュータ１０２に送信する。試料識別子を含む要求の送信は、ホストアプリケーションプログラム１２２の関与なしに、ネットワーク１０８を通じて実施されることに留意することが重要である。
【００７０】
リモートコンピュータ１０６および分析器制御コンピュータ１０２は、リモートコンピュータ１０６から分析器制御コンピュータ１０２への試料識別子を含む要求の送信および／または分析器制御コンピュータ１０２からリモートコンピュータ１０６への試料識別子を含む各結果データの送信のための第１インタフェースを実行し得る。たとえば、第１インタフェースは、Ｈｅａｌｔｈ  Ｌｅｖｅｌ７協会により規格化されたＨＬ７インタフェースである。さらに、または代替的に、リモートコンピュータ１０６および分析器制御コンピュータ１０２は、制御データおよび／または分析データ、特に結果コンテキストデータの少なくとも一部の送信のためのＸＭＬインタフェースなどの第２インタフェースを実行する。
【００７１】
データ管理アプリケーションプログラム１３０の媒介を介さない分析器制御アプリケーションプログラム１０４との直接通信のために、ユーザは、リモートアプリケーションプログラム１２４により生成された第２ウィンドウがアクティブウィンドウ１４２になるように選択する。これに応じて、分析器制御アプリケーションプログラム１０４により生成されたウィンドウ１１６を含むホスト画面イメージ１１４の複製を含む第２ウィンドウがアクティブウィンドウ１４２として示される。ユーザは、入力装置１４６を通じて、現在ホスト画面イメージ１１４の複製であるアクティブウィンドウ１４２にデータを入力可能である。ユーザによりアクティブウィンドウ１４２に入力されたデータは、リモートアプリケーションプログラム１２４により画像データに変換され、後にこのデータを分析器制御アプリケーションプログラム１０４に入力するホストアプリケーションプログラム１２２に画像データとして通信される。
【００７２】
リモートコンピュータ１０６と分析器制御コンピュータ１０２との間のデータ送信は、データがデータ管理アプリケーションプログラム１３０の媒介を通じて送信されるか否かにかかわらず、ネットワーク１０８により供された同一の物理層を使用して実施可能である。
【００７３】
図２は分析システムの実施の形態を示し、Ｎ個の分析器１００．１，１００．２，…，１００．ｎ，…，１００．Ｎが、ネットワーク１０８を経由してその各々の分析器制御コンピュータ、すなわち分析器制御コンピュータＣ１ １０２．１、分析器制御コンピュータＣ２ １０２．２、…、分析器制御コンピュータＣｎ １０２．ｎ、分析器制御コンピュータＣＮ １０２．Ｎを通じてリモートコンピュータ１０６に連結されている。
【００７４】
自動分析器１００．１〜１００．Ｎは、生物学的試料の種々の分析を実施するよう設計可能である。分析器制御コンピュータＣ１〜ＣＮは、図１に示された分析器制御コンピュータ１０２と同一または類似の機能性を有する。特に、各々の分析器制御コンピュータＣｎは、ホストアプリケーションプログラム１２２のインスタンスを局所的に実行する。
【００７５】
リモートコンピュータ１０６は、各々のＮ個の分析器制御コンピュータＣｎに対するリモートアプリケーションプログラム１２４のインスタンスを実行する。換言すると、リモートコンピュータ１０６は、分析器制御コンピュータＣ１のためのリモートアプリケーション（ＲＡ）プログラムＲＡ１ １２４．１、分析器制御コンピュータＣ２のためのリモートアプリケーションプログラムＲＡ２ １２４．２、…、分析器制御コンピュータＣｎのためのリモートアプリケーションプログラムＲＡｎ、…、および分析器制御コンピュータＣＮのためのリモートアプリケーションプログラムＲＡＮ １２４．Ｎを実行する。
【００７６】
各々のリモートアプリケーションプログラムＲＡｎは、割り当てられた分析器制御コンピュータＣｎのホスト画面イメージの複製を含む第２ウィンドウを生成する。したがって、リモートアプリケーションプログラムＲＡｎは、Ｎ個の第２ウィンドウを生成する。
【００７７】
スクリーンショット要素１４０は、モニタ１３８にウィンドウ１４４．１〜１４４．Ｎとして表示される各々のＮ個の第２ウィンドウに対するスクリーンショットを供する。換言すれば、モニタ１３８に表示されたウィンドウ１４４．１はリモートアプリケーションプログラムＲＡ１により生成された第１の第２ウィンドウのスクリーンショットＳＳ１を含み、ウィンドウ１４４．２はリモートアプリケーションプログラムＲＡ２により供された第２の第２ウィンドウのスクリーンショットＳＳ２を含み、…、ウィンドウ１４４．ｎはリモートアプリケーションプログラムＲＡｎにより供された第ｎの第２ウィンドウのスクリーンショットＳＳｎを含み、…、ウィンドウ１１４．ＮはリモートアプリケーションプログラムＲＡｎにより供された第Ｎの第２ウィンドウを含む。
【００７８】
さらに、またスクリーンショット要素は、データ管理アプリケーションプログラム１３０により生成された第１ウィンドウのスクリーンショットＳＳＤＭを供し、これはモニタ１３８にウィンドウ１４４．Ｎ＋１として示される。
【００７９】
第Ｎの第２ウィンドウ１４４．ｎまたは第１のウィンドウの一方は、ユーザがデータ入力可能なアクティブウィンドウ１４２としてモニタ１３８に表示される。一般性を制限することなく、ここでは、データ管理アプリケーションプログラム１３０により供された第１ウィンドウは、アクティブウィンドウ１４２として最初に示されることが想定される。したがって、リモートコンピュータ１０６のユーザは、Ｎ個の分析器１００．１〜１００．Ｎを監視しながらデータ管理アプリケーションプログラム１３０と好都合に対話可能である。各ウィンドウ１４４．ｎ上でユーザに示されるように、分析器１００．ｎのうちの１つとの直接的な対話が必要となった場合、ユーザは、ウィンドウ１４４．ｎでマウスクリックなどを行うことにより、入力装置１４６を通じて各第ｎの第２ウィンドウの選択を入力可能である。これに応じて、第ｎの第２ウィンドウがアクティブウィンドウ１４２となる。ウィンドウ１４４．１〜１４４．Ｎ＋１は繰り返し更新されるが、ユーザによるアクティブウィンドウ１４２の選択がなければ変更されない。
【００８０】
第ｎの第２ウィンドウがアクティブウィンドウ１４２として表示されている間に、リモートコンピュータ１０６のユーザが分析器制御コンピュータＣｎのオペレータと話す必要がある場合、リモートコンピュータ１０６のユーザは、ボタン１５０を押圧するなど単一の入力作用のみを行う必要があり、このことは、構成ファイル１４８に付与された分析器制御コンピュータＣｎのＩＰアドレスを使用して、分析器制御コンピュータＣｎに対するボイスオーバＩＰ音声通信チャネルを確立するＶｏＩＰアプリケーションプログラム１２８を起動する。したがって、リモートコンピュータ１０６のユーザは、どのように分析器１００．ｎを適切に操作および保守するかについての緊急の指示または説明などをするために、分析器制御コンピュータＣｎのオペレータと即座に会話できる。
【００８１】
図３は、図２の実施の形態のウィンドウ１４４．１〜１４４．Ｎ＋１に示されたスクリーンショットの更新を示すフロー図である。
【００８２】
工程２００において、指標ｎは最初に１に設定される。工程２０２において、第ｎの第２ウィンドウのスクリーンショットＳＳｎが取得され、工程２０４において縮小ウィンドウ１４４．ｎは新しいスクリーンショットＳＳｎに更新される。
【００８３】
工程２０６においてｎ＝Ｎであるかが決定される。そうでない場合、工程２０８においてｎは増加され、コントロールは工程２０２に戻る。ｎ＝Ｎである場合、コントロールは工程２０６から工程２１０に進み、工程２１０においてデータ管理アプリケーションプログラムによって供された第１ウィンドウのスクリーンショットＳＳＤＭが取得される。次の工程２１２において、各縮小ウィンドウ１４４．Ｎ＋１は新しいスクリーンショットＳＳＤＭに更新され、コントロールは工程２００に戻る。
【００８４】
図３に示された工程は、図１および２の実施の形態のスクリーンショット要素１４０により実施可能である。図３に示された工程の実施速度は、各々の縮小ウィンドウ１４４．ｎの更新頻度が２秒以下、好ましくは１秒以下になるよう選択可能である。
【００８５】
図４は、バックグラウンドで永久的に実行している更新工程と同時に実行可能な別の工程を示すフローチャートである。工程３００において、リモートコンピュータのモニタに表示されたアクティブウィンドウは、Ｎ個の第２ウィンドウまたは第１ウィンドウのいずれかである。工程３０２において、ユーザは、新しいアクティブウィンドウとなるウィンドウのスクリーンショットを示す各縮小ウィンドウをマウスクリックするなどにより、別のＮ個の第２ウィンドウまたは第１ウィンドウが新しいアクティブとなるように選択する。工程３０４において、ユーザが工程３０２において選択したウィンドウは、工程３００のアクティブウィンドウに代わって新しいアクティブウィンドウとなる。工程３０４から、コントロールは、別のウィンドウを新しいアクティブウィンドウにする連続的なユーザの選択のために工程３００に戻る。
【００８６】
図５は、ウィンドウ１４４．１〜１４４．３がサイドバー１５２に配置された実施の形態を示す。図５は分析システムの状態を示し、リモートアプリケーションプログラムＲＡ１により供された第２ウィンドウはアクティブウィンドウ１４２として示されている。ウィンドウ１４４．１〜１４４．３は、スクリーンショットＳＳＤＭを示すウィンドウを含まない場合もある。
【００８７】
図６は、ユーザの選択によりアクティブウィンドウ１４２を別のウィンドウに代えるための工程を示す。ユーザが図６の星印により示された縮小ウィンドウ１４４．３をクリックすると、現在のアクティブウィンドウは、スクリーンショットがウィンドウ１４４．３に示されたウィンドウに代替される。
【００８８】
図７は、リモートコンピュータ１０６（図１および２を参照）のウィンドウ位置決め要素１３６の実施の形態により実施される種々のウィンドウの位置決めの実施の形態を示す。
【００８９】
ここで検討する実施の形態において、データ管理アプリケーションプログラム１３０により生成された第１ウィンドウおよびリモートアプリケーションプログラムＲＡｎにより生成されたすべてのＮ個の第２ウィンドウ１４４．ｎは、積層１５４を形成するように位置決めされ、アクティブウィンドウ１４２は積層の最上のウィンドウであり、積層１５４の他のすべてのウィンドウを完全に覆うため、最上のアクティブウィンドウ１４２のみが可視である。積層１５４の最上のアクティブウィンドウ１４２が積層１５４の他のすべてのウィンドウに対するオーバレイを供するため、ユーザはデータ入力などのために、そのアクティブウィンドウのみにアクセス可能である。しかしながら、ユーザは、積層１５４の最上のアクティブウィンドウ１４２の下に位置するウィンドウにカーソル１５６を移動することはできない。
【００９０】
図７は分析システムの状態を示し、ここではリモートアプリケーションプログラムＲＡ１により生成された第２ウィンドウがアクティブウィンドウ１４２として選択されている。したがって、リモートアプリケーションプログラムＲＡ１により供された第２ウィンドウは積層１５４の最上に位置する。リモートアプリケーションプログラムＲＡ２〜ＲＡＮにより供された他の第２ウィンドウおよびデータ管理アプリケーションプログラム１３０により生成された第１ウィンドウは、アクティブウィンドウ１４２の下に配置されている。
【００９１】
別のウィンドウを第ｎの第２ウィンドウなどのアクティブウィンドウにする選択のために、図７に示されるように、ユーザは、第ｎの第２ウィンドウのスクリーンショットＳＳｎを含むウィンドウ１４４．ｎにカーソル１５６を移動する。ユーザがウィンドウ１４４．ｎ上でマウスクリックを行うと、積層１５４のウィンドウは、選択された第ｎの第２ウィンドウが積層の最上に移動するように再配置される。実施に応じて、元のアクティブウィンドウは、図７に示されるように、新しいアクティブウィンドウが前に位置していた積層位置に移動するか、または積層の底部などの別の積層位置に移動する。
【００９２】
図８は、リモートコンピュータ１０６（図２の実施の形態を参照）のモニタ１３８に表示された画面イメージ１５８を示す。図８に示されるように、分析システムは、データ管理アプリケーションプログラム１３０により生成された第１ウィンドウがアクティブウィンドウ１４２として選択され、ユーザが第１ウィンドウに含まれる種々のデータ入力フィールド１６０にデータを入力可能な状態である。第２ウィンドウは最上のアクティブウィンドウ１４２の下に位置しており、カーソル１５６を積層１５４（図７を参照）のこれらの他のウィンドウに移動することができないため、第２ウィンドウへのデータ入力は不可能である。
【００９３】
サイドバー１５２は、第１ウィンドウのスクリーンショットを含むウィンドウ１４４．３に加えて、ウィンドウ１４４．１および１４４．２を含む。ウィンドウ１４４．１および１４４．２は、ここで検討する実施の形態において、リモートコンピュータ１０６に連結された２つの異なる自動機器のスクリーンショットを含む。
【００９４】
図９は、部屋１，２および３とオフィスを含む試験室の間取り図である。図９に示されるように、各コンピュータを有する分析器は部屋１，２および３の各々に配置され、一方で、リモートコンピュータ１０６は試験室のオフィスに配置される。ネットワーク１０８を経由して、リモートコンピュータ１０６は、各々の分析器制御コンピュータＣ１，Ｃ２およびＣ３と通信チャネルを確立可能である。このことは、試験室のオフィスにいるオペレータからの自動分析器の遠隔監視および制御を可能にする。
【００９５】
図１０は、リモートコンピュータ１０６（図２の実施の形態を参照）のモニタ１３８に表示された代替的な画面イメージ１６２を示す。図１０に示されるように、分析システムは、リモートアプリケーションプログラム１２４．１（図２を参照）により生成された第２ウィンドウがユーザによってアクティブウィンドウ１４２となるように選択された状態である。
【００９６】
サイドバー１５２は、リモートアプリケーションプログラム１２４．１により生成された第２ウィンドウのスクリーンショットを含まず、このウィンドウが「アクティブウィンドウ」であることのみを示すウィンドウ１４４．１を示す。アクティブウィンドウ１４２として選択されていない他のウィンドウは、サイドバー１５２のウィンドウ１４４．２および１４４．３のスクリーンショットとして示されている。
【００９７】
図１１は、図１の分析システムの実施の形態の画像を示す。リモートコンピュータ１０６および分析器制御コンピュータ１０２の両方は、ウィンドウを含むグラフィカルユーザインタフェースを有するオペレーティングシステムを実行する標準的なパーソナルコンピュータに基づいて実施可能である。
【００９８】
図１２は、ネットワーク１０８（図１および１１を参照）により供された共通の物理層に基づく第１インタフェースおよび第２インタフェースを実施する、本発明の分析システムのさらなる実施の形態を示す。該分析システムは、リモートコンピュータ１０６のデータ管理アプリケーションプログラムと分析器制御コンピュータ１０２との間でデータ送信するためのＨＬ７インタフェースおよびＸＭＬインタフェースを実施し得る。ＨＬ７インタフェースは、試料識別子を含む要求をリモートコンピュータ１０６により実行されるデータ管理プログラム１３０から分析器制御コンピュータ１０２に送信し、分析の実施から得た結果の説明および試料識別子である分析データの一部をデータ管理アプリケーションプログラム１３０に送信するために使用可能である。
【００９９】
ＨＬ７インタフェースを使用して送信された要求には、ＸＭＬ文書によりデータ管理アプリケーションプログラム１３０から分析器制御コンピュータ１０２に送信されたさらなる制御データが補完され得る。
【０１００】
同様に、ＨＬ７インタフェースを通じて送信された結果データは、結果コンテキストデータを含むＸＭＬ文書により補完され得る。結果コンテキストデータを含むＸＭＬ文書は、ＨＬ７インタフェースを通じた結果データの送信と同時または連続して、分析器制御コンピュータ１０２からリモートコンピュータ１０６により実行されるデータ管理アプリケーションプログラム１３０に送信される。ＨＬ７インタフェースを通じた通信およびＸＭＬ文書の交換は同期または非同期でよい。
【０１０１】
図１３は、本発明の分析システムのさらなる実施の形態を示す。ここで検討する実施の形態において、データ管理アプリケーションプログラム１３０は、構成目的、品質コントロールデータ管理、警告／メッセージ処理、コバスリンクなどの外部コンピュータ１６４との通信、オーダ入力処理、作業リスト／試料状態処理、ワークフロー計画、試験室情報システム（ＬＩＳ）および／または病院情報システム（ＨＩＳ）などの外部コンピュータまたはコンピュータネットワーク１６６との通信、結果検討処理、機器総括処理、オンラインヘルプおよび印刷処理などの種々の機能要素を含む。
【０１０２】
分析器制御アプリケーションプログラム１０４は、システム状態操作、モニタ１１２（図１および１１を参照）にユーザインタフェースを供するためのモジュール、オーダ計画を有するラック、サービスおよび保守、在庫管理、試料処理、較正データ管理、品質管理（ＱＣ）試料処理、印刷処理、オンラインヘルプ、ユーティリティシステム設定およびＨＬ７インタフェースおよび／またはＸＭＬインタフェース（図１２を参照）などのデータ管理アプリケーションプログラムとの通信などの機能モジュールを含む。
【０１０３】
また、分析器１００は、機械装置制御、データ計算、シーケンス計画、ラック輸送、エラー処理およびバーコード／ＲＦＩＤ読み取り制御などの種々の制御機能を含む。
【符号の説明】
【０１０４】
１００  自動分析器
１０２  分析器制御コンピュータ
１０４  分析器制御アプリケーションプログラム
１０６  リモートコンピュータ
１０８  ネットワーク
１１０  オペレーティングシステム
１１２  モニタ
１１４  ホスト画面イメージ
１１６  ウィンドウ
１１８  入力装置
１２０  ネットワークインタフェース
１２２  ホストアプリケーションプログラム
１２４  リモートアプリケーションプログラム
１２６  ＶＯＩＰアプリケーションプログラム
１２８  ＶＯＩＰアプリケーションプログラム
１３０  データ管理アプリケーションプログラム
１３２  ネットワークインタフェース
１３４  ユーザインタフェースプログラム
１３６  ウィンドウ位置決め要素
１３８  モニタ
１４０  スクリーンショット要素
１４２  アクティブウィンドウ
１４４  ウィンドウ
１４６  入力装置
１４８  構成ファイル
１５０  ボタン
１５２  サイドバー
１５４  積層
１５６  カーソル
１５８  スクリーン
１６０  データ入力フィールド
１６２  画面イメージ
１６４  外部コンピュータ
１６６  外部コンピュータ
【図１】
2010261952.tif 000003
【図２】
2010261952.tif 000004
【図３】
2010261952.tif 000005
【図４】
2010261952.tif 000006
【図５】
2010261952.tif 000007
【図６】
2010261952.tif 000008
【図７】
2010261952.tif 000009
【図８】
2010261952.tif 000010
【図９】
2010261952.tif 000011
【図１０】
2010261952.tif 000012
【図１１】
2010261952.tif 000013
【図１２】
2010261952.tif 000014
【図１３】
2010261952.tif 000015
【外国語明細書】
2010261952000001.pdf
2010261952000002.pdf
2010261952000003.pdf
2010261952000004.pdf